(57)【要約】【課題】  操作性に優れた液晶表示装置を備えたデジタルカメラを提供することを目的とする。【構成】  本発明によるデジタルカメラは、カラー液晶パネル６ａの光の透過率を多段階に切り換えるカラー液晶パネル６ａと、カラー液晶パネル６ａに照明をあてる照明部６ｂと、駆動開始指令にしたがってカラー液晶パネル６ａと照明部６ｂとの駆動を制御する駆動制御部（１、６ｃ）とからなるカラー液晶表示装置を備えたデジタルカメラにおいて、さらに周囲温度を測定する温度センサ７を備え、駆動制御部（１、６ｃ）は、温度センサ７より取得した温度情報に応じて遅延時間を設定し、前記駆動開始指令に応じてカラー液晶パネル６ａを駆動してカラー液晶パネル６ａの非表示状態から表示状態への移行を開始してから、前記遅延時間経過後に照明部６ｂの照明を点灯駆動させる。【選択図】図１
2005316079.tif 000002
【特許請求の範囲】
【請求項１】
印加電圧に応じた液晶層内の液晶分子の配向制御により光の透過率を多段階に切り換え可能なカラー液晶パネルと、前記カラー液晶パネルに照明をあてる照明部と、駆動開始指令にしたがって前記カラー液晶パネルと前記照明部との駆動を制御する駆動制御部とからなるカラー液晶表示装置を備えたデジタルカメラにおいて、
周囲温度を測定する温度センサを備え、
前記駆動制御部は、前記温度センサより取得した温度情報に応じて遅延時間を設定し、前記駆動開始指令に応じて前記カラー液晶パネルを駆動して前記カラー液晶パネルの非表示状態から表示状態への移行を開始してから、前記遅延時間経過後に前記照明部の照明を点灯駆動させることを特徴とするカラー液晶表示装置を備えたデジタルカメラ。
【請求項２】
請求項１に記載のデジタルカメラはさらにモニタスイッチを備え、該モニタスイッチの押圧操作により前記駆動開始指令が生じることを特徴とするカラー液晶表示装置を備えたデジタルカメラ。
【請求項３】
請求項２に記載のデジタルカメラにおいて、前記駆動制御部は、前記モニタスイッチの押圧操作に応じて前記温度センサにより前記カラー液晶パネルの周囲温度を測定し、該測定温度に基づいて前記遅延時間を設定することを特徴とするカラー液晶表示装置を備えたデジタルカメラ。
【請求項４】
請求項２に記載のデジタルカメラにおいて、デジタルカメラは前記モニタスイッチ以外にさらに操作スイッチを備え、前記駆動制御部は、前記操作スイッチに応じて前記温度センサにより周囲温度を測定し、該測定温度に基づいて前記遅延時間を決定することを特徴とするカラー液晶表示装置を備えたデジタルカメラ。
【発明の詳細な説明】
【技術分野】
【０００１】
本発明は、カラー液晶表示装置を備えたデジタルカメラに関する。
【背景技術】
【０００２】
従来より、液晶表示装置は、常温時に比べ低温時ではその液晶分子の配向の変化時間が遅くなることが知られている。そのため液晶表示装置の非表示状態から画像を正常に表示するまでに必要な表示準備期間は低温域では常温域に比べ長くなる。
【０００３】
そのため非表示状態にある液晶表示装置の画像表示を開始してから、所定の遅延時間後に液晶表示装置の液晶パネルを背後から照明するバックライトを点灯することにより画像を表示するものがある。さらに、動作保証のためなどで想定している最低温度条件での液晶表示装置の表示準備期間を基に前記所定の遅延時間を決定しているものがある（例えば特許文献１）。
【特許文献１】特開２００２−６２８４
【発明の開示】
【発明が解決しようとする課題】
【０００４】
上記の方法では、想定保証温度内では常に使用者に正常な画像を表示することができる。しかし常に最低温度条件で必要とする表示準備期間が経過した後にバックライトを点灯し表示するため、常温域では無用な準備期間が経過しなければ画像等が表示されずレスポンスが悪い。そのため高いレスポンスが求められる機器によっては、操作性に影響を及ぼすことになる。
【０００５】
本発明は、操作性に優れた液晶表示装置を備えたデジタルカメラを提供することを目的とする。
【課題を解決するための手段】
【０００６】
上記問題点を解決するために、印加電圧に応じた液晶層内の液晶分子の配向制御により光の透過率を多段階に切り換え可能なカラー液晶パネルと、前記カラー液晶パネルに照明をあてる照明部と、駆動開始指令にしたがって前記カラー液晶パネルと前記照明部との駆動を制御する駆動制御部とからなるカラー液晶表示装置を備えたデジタルカメラにおいて、さらに周囲温度を測定する温度センサを備え、前記駆動制御部は、前記温度センサより取得した温度情報に応じて遅延時間を設定し、前記駆動開始指令に応じて前記カラー液晶パネルを駆動して前記カラー液晶パネルの非表示状態から表示状態への移行を開始してから、前記遅延時間経過後に前記照明部の照明を点灯駆動させる。
【発明の効果】
【０００７】
本発明によるデジタルカメラは、周囲温度に応じて遅延時間を設定し、カラー液晶パネルの駆動を開始してから該遅延時間経過後に照明装置を点灯し該カラー液晶パネルを照明するため、素早く画像を表示し高いレスポンスを得ることができる。さらに低温時においても、画像を正常に表示することが可能となる。
【発明を実施するための最良の形態】
【０００８】
以下デジタル一眼レフカメラに本発明を適用した実施例について図を用いて説明する。
＜第一の実施例＞
＜第一の実施例の構成＞
図１に本発明を適用したデジタル一眼レフカメラのブロック図を示す。
【０００９】
制御部１は、撮像部２、外部メモリ３、ＲＡＭ４、ＲＯＭ５、液晶モニタ６、温度センサ７、モニタスイッチ８、操作部９等と接続され、これらの部材を制御するＭＰＵを含む。
【００１０】
撮像部２は、撮像素子、Ａ/Ｄ変換器、画像処理ＡＳＩＣ等を含み、撮像素子に入射した被写体像を光電変換し、種々の処理を行いデジタル画像データに変換する。外部メモリ３は、上記画像データ等を保存するためのＣＦカード等のメモリーカードである。ＲＡＭ４は、制御部１、撮像部２等が処理を行う際にデータの一時的な保存場所などに利用される。ＲＯＭ５は、カメラ作動に必要なプログラム、該プログラムに使用する初期値や設定値等が保存されている。
【００１１】
液晶モニタ６は、液晶パネル６ａ、バックライト６ｂ、ＬＣＤドライバ６ｃからなり、外部メモリ３に記録された撮像済み画像やＲＯＭ５に記録されたメニュー画面等の表示を行う。
【００１２】
液晶パネル６ａは、液晶層、透明電極、偏光板、カラーフィルター等からなり、バックライトから発せられた光の透過量を多段階に変更可能な透過型カラー液晶パネルである。バックライト６ｂは、液晶パネル６ａ背面に接して配置され、制御部１によりその点灯駆動が制御され液晶パネル６ａを照明する。ＬＣＤドライバ６ｃは、液晶パネル６ａの表示駆動制御等を行っている。カメラの電源がＯＮされると、液晶モニタ６はバックライトがオフされかつ液晶パネル６ａが表示駆動されていない状態（以下スタンバイ状態とする）で待機する。液晶分子の温度特性上、前記スタンバイ状態にある液晶モニタ６の液晶パネル６ａが正常に画像を表示するまでにかかる表示準備期間は、低温時は常温時に比べて長くなる。そのため温度域を１０℃未満、１０℃以上２０℃未満、２０℃以上の３つの領域に分け、それぞれの温度域に適した表示準備期間に合わせてバックライトを点灯する。図２に本実施例を適用したデジタル一眼レフカメラのスタンバイ状態にある液晶パネル６ａの表示駆動が開始されてから、バックライト６ｂが点灯するまでの遅延時間ｔLと液晶パネル６ａの周囲温度Ｔｐとの関係を示す。バックライト６ｂの遅延時間ｔLは、液晶パネル６ａの周囲温度Ｔｐが１０℃未満は０．３秒に、１０℃以上２０℃未満の時は０．２秒、２０℃以上は０．１秒に設定される。
【００１３】
温度センサ７は、液晶モニタ６付近に配置され液晶パネル６ａの周囲温度Ｔｐを測定し制御部１へ送る。モニタスイッチ８は、液晶モニタ６への撮像済み画像の再生表示、非表示を切り換えるためのモメンタリスイッチである。
＜第一の実施例のフロー＞
カメラの電源がオンされると信号処理回路等の起動や液晶モニタ６のスタンバイ状態への移行等の起動処理が行われた後に撮影モードに移行する。撮影モード時にモニタスイッチ８の押圧操作を行うことにより撮像済み画像の液晶モニタ６への表示、非表示の切り換えが可能である。
【００１４】
モニタスイッチ８が押圧操作された場合のモニタスイッチ処理のフローを図３に示す。
モニタスイッチ８が押圧操作されると、本フローは開始され、まず現在液晶モニタ６が表示駆動中であるかを判定する（Ｓ１０１）。液晶モニタ６が表示駆動中である場合は、バックライト６ｂをＯＦＦし（Ｓ１０２）、液晶パネル６ａを表示駆動状態からスタンバイ状態へ移行させる（Ｓ１０３）。
【００１５】
液晶モニタ６が表示駆動中で無い、つまり液晶パネル６ａがスタンバイ状態である場合は、表示画像を表示するために液晶パネル６ａの表示駆動を開始する（Ｓ１０４）。前記表示画像は撮像済み画像のうち最新の画像又は最後に表示された画像のいずれかである。
【００１６】
次に、温度センサ７によって液晶パネル６ａの周囲温度Ｔｐを測定し、測定した温度ＴｐをＲＡＭ４へ保存する（Ｓ１０５）。そして測定した温度Ｔｐが図２に示した関係のいずれに該当するか判定する。該温度Ｔｐが２０℃以上の場合は遅延時間ｔLに０．１を、１０℃以上２０℃未満の場合は遅延時間ｔLに０．２を、１０℃未満の場合は遅延時間ｔLに０．３を入力しＲＡＭ４へ保存する（Ｓ１０６〜Ｓ１１０）。
【００１７】
ＲＡＭ４に保存されている遅延時間ｔLが読み出され、遅延時間ｔL秒待機した後にバックライト６ｂを点灯して液晶モニタ６に画像を表示させ、通常表示駆動状態へ移行する（Ｓ１１１〜Ｓ１１３）。
【００１８】
なお、上記では、モニタスイッチ８を押圧操作する事により撮像済み画像を液晶モニタ６に表示又は非表示にしたが、液晶モニタ６に表示させる画像は撮像済み画像に限るものではない。例えばモニタスイッチ８の押圧操作によりメニュー画面等を表示又は非表示にするとしても良い。
＜第二の実施例＞
以下第二の実施例について図４、５のフローチャートを用いて説明する。
【００１９】
第二の実施例のうち第一の実施例とほぼ同様な処理には同じ符号を付し説明を略す。
第一の実施例と異なる点は、温度Ｔｐの測定および遅延時間ｔLの決定（Ｓ１０５〜Ｓ１１０）をモニタスイッチ処理中ではなく、予めカメラの電源がＯＮされた時の起動処理時に行うことである。モニタスイッチ処理の際には起動時にＲＡＭ４に保存された遅延時間ｔLに基づいてバックライトを点灯する。
【００２０】
カメラの電源がオンされると起動処理が行われ撮影モードに移行する。図４にカメラの電源ＯＮ時のフローを示す。
カメラの電源がＯＮされると、信号処理回路等の起動や液晶モニタ６のスタンバイ状態への移行等の起動処理が行われる（Ｓ２０１）。
【００２１】
次に、温度センサ７によって液晶パネル６ａの周囲温度Ｔｐを測定し、測定した温度ＴｐをＲＡＭ４へ保存する（Ｓ１０５）。該温度Ｔｐが２０℃以上の場合は遅延時間ｔLに０．１を、１０℃以上２０℃未満の場合は遅延時間ｔLに０．２を、１０℃未満の場合は遅延時間ｔLに０．３を入力しＲＡＭ４へ保存し（Ｓ１０６〜Ｓ１１０）撮影処理に移行する。
【００２２】
撮影モード時にモニタスイッチ８の押圧操作を行うことにより撮像済み画像の液晶モニタ６への表示、非表示の切り換えが可能である。
モニタスイッチ８が押圧操作されると、モニタスイッチ処理へ移行する。図５にモニタスイッチ処理のフローを示す。
【００２３】
モニタスイッチ処理では、まず現在液晶モニタ６が表示駆動中であるかを判定する（Ｓ１０１）。液晶モニタ６が表示駆動中である場合は、バックライト６ｂをＯＦＦし（Ｓ１０２）、液晶パネル６ａを表示駆動状態からスタンバイ状態へ移行させる（Ｓ１０３）。
【００２４】
液晶モニタ６が表示駆動中で無い、つまり液晶パネル６ａがスタンバイ状態である場合は、画像を表示するために液晶パネル６ａの表示駆動を開始する（Ｓ１０４）。前記表示画像は撮像済み画像のうち最新の画像又は最後に表示された画像のいずれかである。
【００２５】
次にＲＡＭ４に保存されている遅延時間ｔLが読み出され、該遅延時間ｔL秒待機した後にバックライト６ｂを点灯して画像を表示し、通常表示駆動状態へ移行する（Ｓ１１１〜Ｓ１１３）。
【００２６】
なお、第二の実施例では、遅延時間ｔLの決定処理（Ｓ１０５〜Ｓ１１０）を電源ＯＮ時の起動処理の後に行う場合について述べたが、遅延時間ｔLの決定処理を行うタイミングはこれに限るものではない。例えば、遅延時間ｔLの決定処理をレリーズ操作等の動作に連動して行っても良く、また、定期的に行うとしても良い。
【００２７】
以上のとおり本発明を適用した実施例について説明してきたが、本発明はこれらの実施例に限られるものではない。以下に変形例を示す。
上述では本発明を、モニタスイッチ８を押圧操作し、スタンバイ状態にある液晶モニタ６に画像を表示する場合の処理に適用したが、スタンバイ状態にある液晶モニタ６に画像を表示させる処理であるならこれに限るものではない。例えば、モニタスイッチ８以外の操作部９の操作部材による操作に連動してスタンバイ状態にある液晶モニタに画像が表示される際の処理に適用しても良い。さらに撮像処理に連動してスタンバイ状態にある液晶モニタ６に確認用画像を表示する際の処理に適用しても良い。
【００２８】
また、上述では液晶モニタ６付近に配置された温度センサ７により液晶パネル６ａの周囲温度を測定したが、液晶パネル６ａの周囲温度が測定可能ならこれに限るものではない。例えば液晶モニタ以外の部材の温度や外気温度等の測定値を用いても良い。
【００２９】
なお、上述では温度域を１０℃未満、１０℃以上２０℃未満、２０℃以上の３つの領域に分け、それぞれ３つの温度域に適した表示準備期間に合わせてバックライトを点灯するとしたが、温度域の分け方はこれに限るものではない。例えば０℃未満、０℃以上１０℃未満、１０℃以上２０℃未満、２０℃以上４０℃未満、４０℃以上などと３つ以上の領域に分け、それぞれの温度域に適した表示準備期間に合わせてバックライトを点灯するとしてもよく、また温度域を２つの領域に分けても良い。
【００３０】
また上述では、カメラ全体を制御する制御部１に温度センサを接続したがこれに限るものではない。例えば液晶モニタ６のＬＣＤドライバ６ｃに温度センサを接続しても良く、この場合ＬＣＤドライバ６ｃが温度センサから液晶パネル６ａの周囲温度を測定し、バックライト６ｂの上記遅延時間ｔLを設定しても良い。
【００３１】
さらに、上述では、バックライト６ｂの点灯制御を制御部１で行ったがこれに限るものではない。例えばバックライトの点灯制御をLCDドライバ６ａで行っても良い。
なお、上述では、液晶モニタ６のバックライトがオフされかつ液晶パネル６ａが表示駆動されていない状態をスタンバイ状態としたがこれに限るものではなく、液晶パネル６ａが画像を表示するために駆動されている状態以外であるなら良い。たとえば、液晶パネル６ａの液晶分子の配向が表示のための配向にすぐに転移できるように液晶パネル６ａに駆動準備用等の電圧をかけている状態をスタンバイ状態としても良い。
【００３２】
また、上述ではカラー液晶パネルとして透過型カラー液晶パネルを用いたがこれに限るものではない。例えば反射型カラー液晶パネルや、透過型及び反射型を組み合わせ半透過型カラー液晶パネルを用いても良い。
【００３３】
以上、特に高いレスポンスが求められるデジタル一眼レフで説明したが、本発明をレンズ一体型デジタルカメラに適用しても良い。
【図面の簡単な説明】
【００３４】
【図１】デジタル一眼レフカメラのブロック図
【図２】デジタル一眼レフカメラの液晶表示装置のバックライト点灯遅延時間と液晶パネルの周囲温度との関係
【図３】第一の実施例におけるデジタル一眼レフカメラのモニタスイッチ処理のフロー
【図４】第二の実施例におけるデジタル一眼レフカメラの電源ＯＮ時のフロー
【図５】第二の実施例におけるデジタル一眼レフカメラのモニタスイッチ処理のフロー
【符号の説明】
【００３５】
１  制御部
２  撮像部
３  外部メモリ
４  RAM
５  ROM
６  液晶モニタ
７  温度センサ
８  モニタスイッチ
９  操作部
【図１】
2005316079.tif 000003
【図２】
2005316079.tif 000004
【図３】
2005316079.tif 000005
【図４】
2005316079.tif 000006
【図５】
2005316079.tif 000007